【手続補正書】
【提出日】平成20年6月27日(2008.6.27)
【手続補正１】
【補正対象書類名】特許請求の範囲
【補正対象項目名】全文
【補正方法】変更
【補正の内容】
【特許請求の範囲】
【請求項１】
利用者から受付けた検体について固有の識別情報と個人情報とを第１のデータベースに登録する手段と、
前記検体を検査機関に送付するために当該検体に付加する管理識別情報を生成すると共に、当該管理識別情報と利用者の識別情報との対応関係を識別情報対応テーブルに登録する手段と、
検査機関に設置された装置から前記検体の検査結果データを受信し、当該検査結果データに付加された管理識別情報を前記識別情報対応テーブルによって利用者の識別情報に変換し、受信した検査結果データを利用者の識別情報に対応付け、利用者毎の機微情報として第２のデータベースに格納する手段と、
前記検体を提出した利用者が使用する利用者装置から健康管理指導依頼を受付けた場合に、依頼元の利用者の機微情報を前記第２のデータベースから読出し、管理識別情報を生成し、当該管理識別情報を付加して指導機関に設置された装置に送付すると共に、当該管理識別情報と利用者の識別情報との対応関係を前記識別情報対応テーブルに登録する手段と、
指導機関に設置された装置からの指導データを受信し、当該指導データに付加された管理識別情報を前記識別情報対応テーブルによって利用者の識別情報に変換し、受信した指導データを利用者の識別情報に対応する利用者毎の機微情報として前記第２のデータベースに追加格納する手段と、
前記利用者装置からの機微情報の参照要求に対し、当該参照要求を送信した利用者の識別情報により前記第２のデータベースを検索し、該当する機微情報を読出し、参照要求元の利用者装置に送信する手段と
を備えることを特徴とする健康コンサルティングシステム。
【請求項２】
利用者から受付けた検体について固有の識別情報と個人情報とを第１のデータベースに登録する手段と、
前記検体を検査機関に送付するために当該検体に付加する管理識別情報を生成すると共に、当該管理識別情報と利用者の識別情報との対応関係を識別情報対応テーブルに登録する手段と、
前記検体を提出した利用者が使用する利用者装置から健康管理指導依頼を受付けた場合に、前記検体の検査機関による検査結果を利用者の機微情報として登録した第２のデータベースから依頼元の利用者の機微情報を読出し、前記管理識別情報を付加して指導機関に設置された装置に送付すると共に、当該管理識別情報と利用者の識別情報との対応関係を前記識別情報対応テーブルに登録する手段と、
前記指導機関に設置された装置からの指導データを受信し、当該指導データに付加された管理識別情報を前記識別情報対応テーブルによって利用者の識別情報に変換し、受信した指導データを利用者の識別情報に対応する利用者毎の機微情報として前記第２のデータベースに追加格納する手段と、
前記利用者装置からの機微情報の参照要求に対し、当該参照要求を送信した利用者の識別情報により前記第２のデータベースを検索し、該当する機微情報を読出し、参照要求元の利用者装置に送信する手段と
を備えることを特徴とする健康コンサルティングシステム。
【請求項３】
利用者から受付けた検体について固有の識別情報と個人情報とを第１のデータベースに登録する手段と、
前記検体を検査機関に送付するために当該検体に付加する管理識別情報を生成すると共に、当該管理識別情報と利用者の識別情報との対応関係を識別情報対応テーブルに登録する手段と、
検査機関に設置された装置から前記検体の検査結果データを受信し、当該検査結果データに付加された管理識別情報を前記識別情報対応テーブルによって利用者の識別情報に変換し、受信した検査結果データを利用者の識別情報に対応付け、利用者毎の機微情報として第２のデータベースに格納する手段と、
前記検体を提出した利用者が使用する利用者装置からの機微情報の参照要求に対し、当該参照要求を送信した利用者の識別情報により前記第２のデータベースを検索し、該当する機微情報を読出し、参照要求元の利用者装置に送信する手段と
を備えることを特徴とする健康コンサルティングシステム。
【請求項４】
健康管理指導を受ける利用者について固有の識別情報と個人情報とを第１のデータベースに登録する手段と、
利用者固有の識別情報を含む健康管理指導依頼を受付けた場合に、利用者の機微情報が登録された第２のデータベースから依頼元の利用者の機微情報を読出し、管理識別情報を生成し、当該管理識別情報を前記読み出した機微情報に付加して指導機関に設置された装置に送付すると共に、当該管理識別情報と利用者の識別番号との対応関係を識別情報対応テーブルに登録する手段と、
前記指導機関に設置された装置からの指導データを受信し、当該指導データに付加された管理識別情報を前記識別情報対応テーブルによって利用者の識別番号に対応させ、受信した指導データを利用者の識別番号に対応する利用者毎の機微情報として前記第２のデータベースに格納または追加格納する手段と、
前記健康管理指導を受ける利用者が使用する利用者装置からの機微情報の参照要求に対し、当該参照要求を送信した利用者の識別情報により前記第２のデータベースを検索し、該当する機微情報を読出し、参照要求元の利用者装置に送信する手段と
を備えることを特徴とする健康コンサルティングシステム。
【請求項５】
管理識別情報と利用者の識別番号との対応関係を識別情報対応テーブルに登録する手段が、前記利用者装置において利用者が選択した指導機関の装置に対して、管理識別情報を付加した機微情報を送信することを特徴とする請求項５に記載の健康コンサルティングシステム。
【請求項６】
前記利用者装置が、受信した機微情報を出力する手段を備えることを特徴とする請求項１〜５のいずれか一項に記載の健康コンサルティングシステム。
【請求項７】
前記機微情報を出力する手段において、出力フォーマットは利用者の署名欄または捺印欄を備えることを特徴とする請求項６に記載の健康コンサルティングシステム。
【手続補正２】
【補正対象書類名】明細書
【補正対象項目名】０００８
【補正方法】変更
【補正の内容】
【０００８】
上記目的を達成するために、本発明に係る健康コンサルティングシステムは、利用者から受付けた検体について固有の識別情報と個人情報とを第１のデータベースに登録する手段と、
前記検体を検査機関に送付するために当該検体に付加する管理識別情報を生成すると共に、当該管理識別情報と利用者の識別情報との対応関係を識別情報対応テーブルに登録する手段と、
検査機関に設置された装置から前記検体の検査結果データを受信し、当該検査結果データに付加された管理識別情報を前記識別情報対応テーブルによって利用者の識別情報に変換し、受信した検査結果データを利用者の識別情報に対応付け、利用者毎の機微情報として第２のデータベースに格納する手段と、
前記検体を提出した利用者が使用する利用者装置から健康管理指導依頼を受付けた場合に、依頼元の利用者の機微情報を前記第２のデータベースから読出し、管理識別情報を生成し、当該管理識別情報を付加して指導機関に設置された装置に送付すると共に、当該管理識別情報と利用者の識別情報との対応関係を前記識別情報対応テーブルに登録する手段と、
指導機関に設置された装置からの指導データを受信し、当該指導データに付加された管理識別情報を前記識別情報対応テーブルによって利用者の識別情報に変換し、受信した指導データを利用者の識別情報に対応する利用者毎の機微情報として前記第２のデータベースに追加格納する手段と、
前記利用者装置からの機微情報の参照要求に対し、当該参照要求を送信した利用者の識別情報により前記第２のデータベースを検索し、該当する機微情報を読出し、参照要求元の利用者装置に送信する手段とを備えることを特徴とする。
【手続補正３】
【補正対象書類名】明細書
【補正対象項目名】０００９
【補正方法】変更
【補正の内容】
【０００９】
利用者から受付けた検体について固有の識別情報と個人情報とを第１のデータベースに登録する手段と、
前記検体を検査機関に送付するために当該検体に付加する管理識別情報を生成すると共に、当該管理識別情報と利用者の識別情報との対応関係を識別情報対応テーブルに登録する手段と、
前記検体を提出した利用者が使用する利用者装置から健康管理指導依頼を受付けた場合に、前記検体の検査機関による検査結果を利用者の機微情報として登録した第２のデータベースから依頼元の利用者の機微情報を読出し、前記管理識別情報を付加して指導機関に設置された装置に送付すると共に、当該管理識別情報と利用者の識別情報との対応関係を前記識別情報対応テーブルに登録する手段と、
前記指導機関に設置された装置からの指導データを受信し、当該指導データに付加された管理識別情報を前記識別情報対応テーブルによって利用者の識別情報に変換し、受信した指導データを利用者の識別情報に対応する利用者毎の機微情報として前記第２のデータベースに追加格納する手段と、
前記利用者装置からの機微情報の参照要求に対し、当該参照要求を送信した利用者の識別情報により前記第２のデータベースを検索し、該当する機微情報を読出し、参照要求元の利用者装置に送信する手段とを備えることを特徴とする。
【手続補正４】
【補正対象書類名】明細書
【補正対象項目名】００１０
【補正方法】変更
【補正の内容】
【００１０】
また、利用者から受付けた検体について固有の識別情報と個人情報とを第１のデータベースに登録する手段と、
前記検体を検査機関に送付するために当該検体に付加する管理識別情報を生成すると共に、当該管理識別情報と利用者の識別情報との対応関係を識別情報対応テーブルに登録する手段と、
検査機関に設置された装置から前記検体の検査結果データを受信し、当該検査結果データに付加された管理識別情報を前記識別情報対応テーブルによって利用者の識別情報に変換し、受信した検査結果データを利用者の識別情報に対応付け、利用者毎の機微情報として第２のデータベースに格納する手段と、
前記検体を提出した利用者が使用する利用者装置からの機微情報の参照要求に対し、当該参照要求を送信した利用者の識別情報により前記第２のデータベースを検索し、該当する機微情報を読出し、参照要求元の利用者装置に送信する手段とを備えることを特徴とする。
【手続補正５】
【補正対象書類名】明細書
【補正対象項目名】００１１
【補正方法】変更
【補正の内容】
【００１１】
また、健康管理指導を受ける利用者について固有の識別情報と個人情報とを第１のデータベースに登録する手段と、
利用者固有の識別情報を含む健康管理指導依頼を受付けた場合に、利用者の機微情報が登録された第２のデータベースから依頼元の利用者の機微情報を読出し、管理識別情報を生成し、当該管理識別情報を前記読み出した機微情報に付加して指導機関に設置された装置に送付すると共に、当該管理識別情報と利用者の識別番号との対応関係を識別情報対応テーブルに登録する手段と、
前記指導機関に設置された装置からの指導データを受信し、当該指導データに付加された管理識別情報を前記識別情報対応テーブルによって利用者の識別番号に対応させ、受信した指導データを利用者の識別番号に対応する利用者毎の機微情報として前記第２のデータベースに格納または追加格納する手段と、
前記健康管理指導を受ける利用者が使用する利用者装置からの機微情報の参照要求に対し、当該参照要求を送信した利用者の識別情報により前記第２のデータベースを検索し、該当する機微情報を読出し、参照要求元の利用者装置に送信する手段とを備えることを特徴とする。
また、管理識別情報と利用者の識別番号との対応関係を識別情報対応テーブルに登録する手段が、前記利用者装置において利用者が選択した指導機関の装置に対して、管理識別情報を付加した機微情報を送信することを特徴とする。
さらに、前記利用者装置が、受信した機微情報を出力する手段を備えることを特徴とする。
また、前記機微情報を出力する手段において、出力フォーマットは利用者の署名欄または捺印欄を備えることを特徴とする。